(57)【要約】【課題】  本発明は、色域の最適な撮影画像を得ることのできる画像処理装置、画像処理方法およびそれらを備えたデジタルカメラを提供することを目的とする。【解決手段】  本発明の画像処理装置（２３〜２９）は、予め定められた複数の色空間の中から画像のカラー調整に使用すべき色空間を選択する画像処理装置であって、格納手段（２７）と、選択手段（２８）とを備える。格納手段は、画像モード毎、かつ色空間毎に用意されたテーブルであり、かつ画像の色成分値と画像処理後にその色成分値が所属すべき色空間を示す情報とが予め設定されたテーブルを格納する。選択手段は、ユーザーにより設定された画像モードと対応した色空間毎のテーブルを、撮影画像の色成分値を入力として検索することによって取得した情報に基づき、撮影画像のカラー調整に使用すべき色空間を選択する。【選択図】  図１
2010050604.tif 000002
【特許請求の範囲】
【請求項１】
予め定められた複数の色空間の中から画像のカラー調整に使用すべき色空間を選択する画像処理装置であって、
画像モード毎、かつ色空間毎に用意されたテーブルであり、かつ画像の色成分値と画像処理後にその色成分値が所属すべき色空間を示す情報とが予め設定された前記テーブルを格納する格納手段と、
ユーザーにより設定された画像モードと対応した前記格納された色空間毎のテーブルを、撮影画像の色成分値を入力として検索することによって取得した情報に基づき、前記撮影画像のカラー調整に使用すべき色空間を選択する選択手段と
を備えることを特徴とする画像処理装置。
【請求項２】
請求項１に記載の画像処理装置において、
前記格納手段が格納する前記テーブルには、画像の色成分値と画像処理後にその色成分値が所属すべき色空間が当該テーブルの色空間であるか否かを示す情報とが予め設定され、
前記選択手段は、ユーザーにより設定された画像モードに対応した色空間毎のテーブルを色域が狭いものから広いものへの順に検索する際において、前記撮影画像の色成分値毎にその値が所属すべき色空間を示す情報を検索中のテーブルから抽出し、それら抽出した情報のうち所属すべき色空間が前記検索中のテーブルの色空間ではないとする情報の数が所定の閾値を超えない場合に、前記検索中のテーブルの色空間を前記撮影画像のカラー調整に使用すべき色空間として選択する
ことを特徴とする画像処理装置。
【請求項３】
請求項２に記載の画像処理装置において、
前記選択手段は、前記抽出した情報のうち所属すべき色空間が前記検索中のテーブルの色空間ではないとする情報の数が所定の閾値を超える場合には、前記検索中のテーブルの色空間よりも広い色域の色空間のテーブルを新たに検索するようにして前記撮影画像のカラー調整に使用すべき色空間の選択処理を再実行する
ことを特徴とする画像処理装置。
【請求項４】
請求項１〜請求項３の何れか一項に記載の画像処理装置において、
前記選択手段は、ユーザーにより設定されたカラーモードに対応した色空間のテーブルを基点として前記色空間毎のテーブルの検索を開始する
ことを特徴とする画像処理装置。
【請求項５】
請求項１に記載の画像処理装置において、
前記格納手段が格納する前記テーブルには、画像の色成分値と画像処理後にその色成分値が所属すべき色空間が当該テーブルの色空間である又は当該テーブルの色空間よりも狭い色域の色空間である又は当該テーブルの色空間よりも広い色域の色空間であることを示す情報とが予め設定され、
前記選択手段は、ユーザーにより設定された画像モードに対応した色空間毎のテーブルのうちユーザーにより設定されたカラーモードに対応した色空間のテーブル又は予め定められた色空間のテーブルを基点のテーブルとして検索を開始し、前記撮影画像の色成分値毎にその値が所属すべき色空間を示す情報を検索中のテーブルから抽出すると共に、それら抽出した情報のうち所属すべき色空間が前記検索中のテーブルの色空間よりも狭い色域または広い色域の色空間であるとする情報の数が所定の閾値を超える場合には、前記検索中のテーブルの色空間よりも狭い色域または広い色域の色空間のテーブルを検索するようにして前記撮影画像のカラー調整に使用すべき色空間の選択処理を再実行する
ことを特徴とする画像処理装置。
【請求項６】
請求項５に記載の画像処理装置において、
前記選択手段は、前記抽出した情報のうち所属すべき色空間が前記検索中のテーブルの色空間よりも狭い色域または広い色域の色空間であるとする情報の数が所定の閾値を超えない場合には、前記検索中のテーブルの色空間を前記撮影画像のカラー調整に使用すべき色空間として選択する
ことを特徴とする画像処理装置。
【請求項７】
請求項１〜請求項６の何れか一項に記載の画像処理装置において、
前記撮影画像の色成分値は、前記撮影画像の画素毎の色成分の値である
ことを特徴とする画像処理装置。
【請求項８】
請求項１〜請求項６の何れか一項に記載の画像処理装置において、
前記撮影画像の色成分値は、前記撮影画像の画面のエリア毎に算出されたエリア内画素の色成分の平均値である
ことを特徴とする画像処理装置。
【請求項９】
請求項１〜請求項８の何れか一項に記載の画像処理装置において、
前記格納手段が格納する前記テーブルには、画像の色成分の値として、その取り得る全ての値のうちの一部の値が設定される
ことを特徴とする画像処理装置。
【請求項１０】
被写界を撮影することにより撮影画像を取得する撮影手段と、
請求項１〜請求項９の何れか一項に記載の画像処理装置と
を備えることを特徴とするデジタルカメラ。
【請求項１１】
予め定められた複数の色空間の中から画像のカラー調整に使用すべき色空間を選択する画像処理方法であって、
画像モード毎、かつ色空間毎に用意されたテーブルであり、かつ画像の色成分値と画像処理後にその色成分値が所属すべき色空間を示す情報とが予め設定された前記テーブルを格納する格納手順と、
ユーザーにより設定された画像モードと対応した前記格納された色空間毎のテーブルを、撮影画像の色成分値を入力として検索することによって取得した情報に基づき、前記撮影画像のカラー調整に使用すべき色空間を選択する選択手順と
を備えることを特徴とする画像処理方法。
【請求項１２】
請求項１１に記載の画像処理方法において、
前記格納手順において格納される前記テーブルには、画像の色成分値と画像処理後にその色成分値が所属すべき色空間が当該テーブルの色空間であるか否かを示す情報とが予め設定され、
前記選択手順では、ユーザーにより設定された画像モードに対応した色空間毎のテーブルを色域が狭いものから広いものへの順に検索する際において、前記撮影画像の色成分値毎にその値が所属すべき色空間を示す情報を検索中のテーブルから抽出し、それら抽出した情報のうち所属すべき色空間が前記検索中のテーブルの色空間ではないとする情報の数が所定の閾値を超えない場合に、前記検索中のテーブルの色空間を前記撮影画像のカラー調整に使用すべき色空間として選択する
ことを特徴とする画像処理方法。
【請求項１３】
請求項１２に記載の画像処理方法において、
前記選択手順では、前記抽出した情報のうち所属すべき色空間が前記検索中のテーブルの色空間ではないとする情報の数が所定の閾値を超える場合には、前記検索中のテーブルの色空間よりも広い色域の色空間のテーブルを新たに検索するようにして前記撮影画像のカラー調整に使用すべき色空間の選択処理を再実行する
ことを特徴とする画像処理方法。
【請求項１４】
請求項１１〜請求項１３の何れか一項に記載の画像処理方法において、
前記選択手順では、ユーザーにより設定されたカラーモードに対応した色空間のテーブルを基点として前記色空間毎のテーブルの検索を開始する
ことを特徴とする画像処理方法。
【請求項１５】
請求項１１に記載の画像処理方法において、
前記格納手順において格納される前記テーブルには、画像の色成分値と画像処理後にその色成分値が所属すべき色空間が当該テーブルの色空間である又は当該テーブルの色空間よりも狭い色域の色空間である又は当該テーブルの色空間よりも広い色域の色空間であることを示す情報とが予め設定され、
前記選択手順では、ユーザーにより設定された画像モードに対応した色空間毎のテーブルのうちユーザーにより設定されたカラーモードに対応した色空間のテーブル又は予め定められた色空間のテーブルを基点のテーブルとして検索を開始し、前記撮影画像の色成分値毎にその値が所属すべき色空間を示す情報を検索中のテーブルから抽出すると共に、それら抽出した情報のうち所属すべき色空間が前記検索中のテーブルの色空間よりも狭い色域または広い色域の色空間であるとする情報の数が所定の閾値を超える場合には、前記検索中のテーブルの色空間よりも狭い色域または広い色域の色空間のテーブルを検索するようにして前記撮影画像のカラー調整に使用すべき色空間の選択処理を再実行する
ことを特徴とする画像処理方法。
【請求項１６】
請求項１５に記載の画像処理方法において、
前記選択手順では、前記抽出した情報のうち所属すべき色空間が前記検索中のテーブルの色空間よりも狭い色域または広い色域の色空間であるとする情報の数が所定の閾値を超えない場合には、前記検索中のテーブルの色空間を前記撮影画像のカラー調整に使用すべき色空間として選択する
ことを特徴とする画像処理方法。
【請求項１７】
請求項１１〜請求項１６の何れか一項に記載の画像処理方法において、
前記撮影画像の色成分値は、前記撮影画像の画素毎の色成分の値である
ことを特徴とする画像処理方法。
【請求項１８】
請求項１１〜請求項１６の何れか一項に記載の画像処理方法において、
前記撮影画像の色成分値は、前記撮影画像の画面のエリア毎に算出されたエリア内画素の色成分の平均値である
ことを特徴とする画像処理方法。
【請求項１９】
請求項１１〜請求項１８の何れか一項に記載の画像処理方法において、
前記格納手段において格納される前記テーブルには、画像の色成分の値として、その取り得る全ての値のうちの一部の値が設定される
ことを特徴とする画像処理方法。
【発明の詳細な説明】
【技術分野】
【０００１】
本発明は、カメラにより撮影された撮影画像の画像処理を行う画像処理装置、画像処理方法およびそれらを備えたデジタルカメラに関する。
【背景技術】
【０００２】
撮影画像の画像処理に使用すべき色空間を撮影時の画像モード（撮影モード）に応じて自動的に選択する技術が、従来から提案されている。
【０００３】
この従来技術の一例として、例えば、特許文献１には、撮影時の画像モードの情報を取得し、その画像モードに応じて、撮影画像の画像処理に使用すべき色空間に、階調性重視の色空間（ｓＲＧＢなど）又は色域重視の色空間（ＡｄｏｂｅＲＧＢなど）を選択する技術が開示されている。
【特許文献１】特開２００５−１６７７３５号公報
【発明の開示】
【発明が解決しようとする課題】
【０００４】
ところで、最終的に色域の最適な撮影画像を得るためには、画像処理後の撮影画像が有する色域を事前に考慮してその画像処理に使用すべき色空間を選択する必要がある。なぜなら、画像処理が行われる前と後では撮影画像の色成分が変化するからである。また、一般的に、撮影画像に対して行われる画像処理の内容は撮影モードによって異なるので、画像処理による撮影画像の色成分の変化量も撮影モード毎にそれぞれ異なるから、撮影画像の画像処理に使用すべき色空間を選択する際に画像処理後の撮影画像が有する色域を事前に考慮すべきなのはなおさらである。
【０００５】
しかしながら、従来技術では、撮影画像の画像処理に使用すべき色空間を選択する際に、画像処理後の撮影画像が有する色域を考慮していないため、色域の最適な撮影画像を得ることができなかった。
【０００６】
本発明は、上述した課題を解決するためになされたものである。本発明は、色域の最適な撮影画像を得ることのできる画像処理装置、画像処理方法およびそれらを備えたデジタルカメラを提供することを目的とする。
【課題を解決するための手段】
【０００７】
第１の発明の画像処理装置は、予め定められた複数の色空間の中から画像のカラー調整に使用すべき色空間を選択する画像処理装置であって、格納手段と、選択手段とを備える。格納手段は、画像モード毎、かつ色空間毎に用意されたテーブルであり、かつ画像の色成分値と画像処理後にその色成分値が所属すべき色空間を示す情報とが予め設定されたテーブルを格納する。選択手段は、ユーザーにより設定された画像モードと対応した色空間毎のテーブルを、撮影画像の色成分値を入力として検索することによって取得した情報に基づき、撮影画像のカラー調整に使用すべき色空間を選択する。
【０００８】
第２の発明は、第１の発明において、格納手段が格納するテーブルには、画像の色成分値と画像処理後にその色成分値が所属すべき色空間が当該テーブルの色空間であるか否かを示す情報とが予め設定され、選択手段は、ユーザーにより設定された画像モードに対応した色空間毎のテーブルを色域が狭いものから広いものへの順に検索する際において、撮影画像の色成分値毎にその値が所属すべき色空間を示す情報を検索中のテーブルから抽出し、それら抽出した情報のうち所属すべき色空間が検索中のテーブルの色空間ではないとする情報の数が所定の閾値を超えない場合に、検索中のテーブルの色空間を撮影画像のカラー調整に使用すべき色空間として選択する。
【０００９】
第３の発明は、第２の発明において、選択手段は、抽出した情報のうち所属すべき色空間が検索中のテーブルの色空間ではないとする情報の数が所定の閾値を超える場合には、検索中のテーブルの色空間よりも広い色域の色空間のテーブルを新たに検索するようにして撮影画像のカラー調整に使用すべき色空間の選択処理を再実行する。
【００１０】
第４の発明は、第１〜第３の発明の何れか一の発明において、選択手段は、ユーザーにより設定されたカラーモードに対応した色空間のテーブルを基点として色空間毎のテーブルの検索を開始する。
【００１１】
第５の発明は、第１の発明において、格納手段が格納するテーブルには、画像の色成分値と画像処理後にその色成分値が所属すべき色空間が当該テーブルの色空間である又は当該テーブルの色空間よりも狭い色域の色空間である又は当該テーブルの色空間よりも広い色域の色空間であることを示す情報とが予め設定され、選択手段は、ユーザーにより設定された画像モードに対応した色空間毎のテーブルのうちユーザーにより設定されたカラーモードに対応した色空間のテーブル又は予め定められた色空間のテーブルを基点のテーブルとして検索を開始し、撮影画像の色成分値毎にその値が所属すべき色空間を示す情報を検索中のテーブルから抽出すると共に、それら抽出した情報のうち所属すべき色空間が検索中のテーブルの色空間よりも狭い色域または広い色域の色空間であるとする情報の数が所定の閾値を超える場合には、検索中のテーブルの色空間よりも狭い色域または広い色域の色空間のテーブルを検索するようにして撮影画像のカラー調整に使用すべき色空間の選択処理を再実行する。
【００１２】
第６の発明は、第５の発明において、選択手段は、抽出した情報のうち所属すべき色空間が検索中のテーブルの色空間よりも狭い色域または広い色域の色空間であるとする情報の数が所定の閾値を超えない場合には、検索中のテーブルの色空間を撮影画像のカラー調整に使用すべき色空間として選択する。
【００１３】
第７の発明は、第１〜第６の発明の何れか一の発明において、撮影画像の色成分値は、撮影画像の画素毎の色成分の値である。
【００１４】
第８の発明は、第１〜第６の発明の何れか一の発明において、撮影画像の色成分値は、撮影画像の画面のエリア毎に算出されたエリア内画素の色成分の平均値である。
【００１５】
第９の発明は、第１〜第８の発明の何れか一の発明において、格納手段が格納するテーブルには、画像の色成分の値として、その取り得る全ての値のうちの一部の値が設定される。
【００１６】
第１０の発明のデジタルカメラは、被写界を撮影することにより撮影画像を取得する撮影手段と、第１〜第９の発明の何れか一の発明の画像処理装置とを備える。
【００１７】
第１１の発明の画像処理方法は、予め定められた複数の色空間の中から画像のカラー調整に使用すべき色空間を選択する画像処理方法であって、画像モード毎、かつ色空間毎に用意されたテーブルであり、かつ画像の色成分値と画像処理後にその色成分値が所属すべき色空間を示す情報とが予め設定されたテーブルを格納する格納手順と、ユーザーにより設定された画像モードと対応した色空間毎のテーブルを、撮影画像の色成分値を入力として検索することによって取得した情報に基づき、撮影画像のカラー調整に使用すべき色空間を選択する選択手順とを備える。
【００１８】
第１２の発明は、第１１の発明において、格納手順において格納されるテーブルには、画像の色成分値と画像処理後にその色成分値が所属すべき色空間が当該テーブルの色空間であるか否かを示す情報とが予め設定され、選択手順では、ユーザーにより設定された画像モードに対応した色空間毎のテーブルを色域が狭いものから広いものへの順に検索する際において、撮影画像の色成分値毎にその値が所属すべき色空間を示す情報を検索中のテーブルから抽出し、それら抽出した情報のうち所属すべき色空間が検索中のテーブルの色空間ではないとする情報の数が所定の閾値を超えない場合に、検索中のテーブルの色空間を撮影画像のカラー調整に使用すべき色空間として選択する。
【００１９】
第１３の発明は、第１２の発明において、選択手順では、抽出した情報のうち所属すべき色空間が検索中のテーブルの色空間ではないとする情報の数が所定の閾値を超える場合には、検索中のテーブルの色空間よりも広い色域の色空間のテーブルを新たに検索するようにして撮影画像のカラー調整に使用すべき色空間の選択処理を再実行する。
【００２０】
第１４の発明は、第１１〜第１３の発明の何れか一の発明において、選択手順では、ユーザーにより設定されたカラーモードに対応した色空間のテーブルを基点として色空間毎のテーブルの検索を開始する。
【００２１】
第１５の発明は、第１１の発明において、格納手順において格納されるテーブルには、画像の色成分値と画像処理後にその色成分値が所属すべき色空間が当該テーブルの色空間である又は当該テーブルの色空間よりも狭い色域の色空間である又は当該テーブルの色空間よりも広い色域の色空間であることを示す情報とが予め設定され、選択手順では、ユーザーにより設定された画像モードに対応した色空間毎のテーブルのうちユーザーにより設定されたカラーモードに対応した色空間のテーブル又は予め定められた色空間のテーブルを基点のテーブルとして検索を開始し、撮影画像の色成分値毎にその値が所属すべき色空間を示す情報を検索中のテーブルから抽出すると共に、それら抽出した情報のうち所属すべき色空間が検索中のテーブルの色空間よりも狭い色域または広い色域の色空間であるとする情報の数が所定の閾値を超える場合には、検索中のテーブルの色空間よりも狭い色域または広い色域の色空間のテーブルを検索するようにして撮影画像のカラー調整に使用すべき色空間の選択処理を再実行する。
【００２２】
第１６の発明は、第１５の発明において、選択手順では、抽出した情報のうち所属すべき色空間が検索中のテーブルの色空間よりも狭い色域または広い色域の色空間であるとする情報の数が所定の閾値を超えない場合には、検索中のテーブルの色空間を撮影画像のカラー調整に使用すべき色空間として選択する。
【００２３】
第１７の発明は、第１１〜第１６の発明の何れか一の発明において、撮影画像の色成分値は、撮影画像の画素毎の色成分の値である。
【００２４】
第１８の発明は、第１１〜第１６の発明の何れか一の発明において、撮影画像の色成分値は、撮影画像の画面のエリア毎に算出されたエリア内画素の色成分の平均値である。
【００２５】
第１９の発明は、第１１〜第１８の発明の何れか一の発明において、格納手段において格納されるテーブルには、画像の色成分の値として、その取り得る全ての値のうちの一部の値が設定される。
【発明の効果】
【００２６】
本発明では、ユーザーにより設定された画像モードと対応した色空間毎のテーブルが、撮影画像の色成分値を入力として検索される。なお、検索される色空間毎のテーブルには、それぞれ画像の色成分値と画像処理後にその色成分値が所属すべき色空間を示す情報とが予め設定されている。そして、テーブルの検索によって取得した情報、すなわち所属すべき色空間を示す情報に基づき、撮影画像のカラー調整に使用すべき色空間が選択される。したがって、本発明を利用すれば、色域の最適な撮影画像を得ることが可能になる。
【発明を実施するための最良の形態】
【００２７】
（第１実施形態）
以下、本発明の第１実施形態を説明する。本実施形態は、デジタルカメラの実施形態である。
【００２８】
先ず、デジタルカメラの撮影機構を説明する。図１は、デジタルカメラの光学系の構成を示す模式図である。図１に示すとおり、デジタルカメラは、カメラ本体１１と、撮影レンズ１２を収容したレンズユニット１３とを有する。レンズユニット１３は、不図示のマウントを介してカメラ本体１１に交換可能に装着される。その状態でレンズユニット１３は、カメラ本体１１に対して電気的に接続される。なお、撮影レンズ１２は、フォーカスレンズやズームレンズを含む複数のレンズ群で構成されるが、図１では、簡単のため、撮影レンズ１２を１枚のレンズとして図示している。
【００２９】
カメラ本体１１には、クイックリターンミラー１４と、メカニカルシャッタ１５と、撮像素子１６と、ファインダ光学系（１７〜２０）とが配置される。クイックリターンミラー１４、メカニカルシャッタ１５および撮像素子１６は、撮影レンズ１２の光軸上に配置され、ファインダ光学系（１７〜２０）はカメラ本体１１内の上部に配置される。
【００３０】
クイックリターンミラー１４は、不図示の回動軸によって回動可能に軸支されており、観察状態と退避状態とを切り替え可能となっている。観察状態のクイックリターンミラー１４は、メカニカルシャッタ１５および撮像素子１６の前方で傾斜配置される。この観察状態のクイックリターンミラー１４は、撮影レンズ１２を通過した光束を上方へ反射してファインダ光学系（１７〜２０）に導く。なお、クイックリターンミラー１２の中央部はハーフミラーとなっており、このとき撮影レンズ１２を通過した光束の一部は、そのハーフミラーおよびサブミラー（不図示）を介して焦点検出部（不図示）へ導かれる。
【００３１】
一方、退避状態のクイックリターンミラー１４は、サブミラー（不図示）と共に上方に跳ね上げられて撮影レンズ１２の光路から外れた位置にある。クイックリターンミラー１４が退避状態にあるときは、撮影レンズ１２を通過した光束がメカニカルシャッタ１５および撮像素子１６へ導かれる。
【００３２】
ファインダ光学系（１７〜２０）は、拡散スクリーン（焦点板）１７と、コンデンサレンズ１８と、ペンタプリズム１９と、接眼レンズ２０とを有している。このうちペンタプリズム１９は、カメラ本体１１上部の突状部位置に収納されている。また、ペンタプリズム１９の近傍には、再結像レンズ２１および測光センサ２２などが配置されている。
【００３３】
拡散スクリーン１７は、クイックリターンミラー１４の上方に位置し、観察状態のクイックリターンミラー１４により反射された光束が一旦結像する。この拡散スクリーン１７上で結像した光束は、コンデンサレンズ１８を通過してペンタプリズム１９の入射面に入射し、そしてその内部で反射されてペンタプリズム１９の射出面へ導かれる。なお、この射出面はペンタプリズム１９の入射面に対して９０度の角度を有している。この後、ペンタプリズム１９の射出面から外部へ射出された光束は、接眼レンズ２０を介して撮影者の目に到達するようになっている。また、ペンタプリズム１９の入射面に入射した光束の一部は、ペンタプリズム１９の内部で反射されてその射出面から外部へ射出し、再結像レンズ２１を介して測光センサ２２に向かう。
【００３４】
次に、デジタルカメラの回路構成を説明する。図２は、デジタルカメラの回路構成を示すブロック図である。図２に示すとおりカメラ本体１１には、撮像素子１６と、アナログ信号処理部１６ａと、タイミングジェネレータ（ＴＧ）１６ｂと、測光センサ２２と、Ａ／Ｄ変換器２２ａと、バッファメモリ２３と、ＲＡＭ２４と、記録インターフェース（記録Ｉ／Ｆ）２５と、操作部２６と、ＲＯＭ２７と、制御部２８と、バス２９とが備えられる。このうちアナログ信号処理部１６ａ、バッファメモリ２３、ＲＡＭ２４、記録Ｉ／Ｆ２５、ＲＯＭ２７、制御部２８は、バス２９を介して互いに接続されている。また、アナログ信号処理部１６ａ、ＴＧ１６ｂ、Ａ／Ｄ変換器２２ａ、操作部２６は、それぞれ制御部２８に接続されている。
【００３５】
撮像素子１６は、ＣＣＤエリアセンサやＣＭＯＳエリアセンサなどのイメージセンサであり、記録用の画像である本画像を生成するために備えられたものである。撮像素子１６は、クイックリターンミラー１４が退避状態であるときに、その撮像面に形成される被写界像を光電変換して本画像の画像信号（アナログ信号）を生成する。なお、撮像素子１６の撮像面には、被写界像をカラー検出するために、赤色（Ｒ）、緑色（Ｇ）、青色（Ｂ）の３種類のカラーフィルタが例えばベイヤ（Bayer）配列で配置されている。これによって、撮像素子１６の撮像面にはＲ画素とＧ画素とＢ画素との３種類の画素が配置され、生成される本画像の画像信号は、Ｒ、Ｇ、Ｂの３種類の成分から構成されることになる。なお、撮像素子１６の撮像面の全体には、光学ローパスフィルタや赤外光カットフィルタなどが設けられている。
【００３６】
アナログ信号処理部１６ａは、制御部２８の指示に応じて、撮像素子１６が生成する画像信号（アナログ信号）に対し、ＣＤＳ（相関二重サンプリング）、ゲイン調整、Ａ／Ｄ変換などのアナログ信号処理を施すと共に、処理後の画像信号（デジタル信号）を出力する。また、アナログ信号処理部１６ａは、制御部２８の指示に基づいてゲイン調整の調整量を設定し、それによってＩＳＯ感度に相当する撮像感度の調整を行う。なお、アナログ信号処理部１６ａの出力はバス２９を介してバッファメモリ２３に記録される。
【００３７】
ＴＧ１６ｂは、制御部２８の指示に基づき撮像素子１６およびアナログ信号処理部１６ａに対してタイミングパルスを供給する。撮像素子１６およびアナログ信号処理部１６ａの駆動タイミングはそのタイミングパルスによって制御される。
【００３８】
測光センサ２２は、ＣＣＤエリアセンサやＣＭＯＳエリアセンサなどのイメージセンサであり、測光用の画像（測光画像）を生成するために備えられたものである。測光センサ２２の撮像面には、撮像素子１６の撮像面に形成されるのとほぼ同じ被写界像が形成される。測光センサ２２は、その被写界像を光電変換することによって測光画像の画像信号（アナログ信号）を生成する。なお、測光センサ２２の撮像面には、被写界像をカラー検出するためにカラーフィルタが配置されている。よって、測光画像の画像信号も、Ｒ、Ｇ、Ｂの３種類の成分から構成される。この測光センサ２２が出力する画像信号は、Ａ／Ｄ変換器２２ａを介して制御部２８へ入力される。
【００３９】
バッファメモリ２３は、アナログ信号処理部１６ａから出力される画像信号（デジタル信号）を画像データとして一時的に記憶する。また、バッファメモリ２３は、制御部２８による処理の過程で作成された画像データを一時的に記憶する。
【００４０】
記録Ｉ／Ｆ２５には、記憶媒体３０を接続するためのコネクタが形成されている。記録Ｉ／Ｆ２５は、そのコネクタに接続された記憶媒体３０にアクセスし、本画像の画像データの書き込みや読み出しを行う。制御部２８は、この記録Ｉ／Ｆ２５を介して、画像処理および圧縮処理を施した後のＲＡＭ２４の画像データや、それらの処理を施していないバッファメモリ２３の画像データ（ＲＡＷデータ）を本画像の画像データとして記憶媒体３０へ記録する。なお、記憶媒体３０は、半導体メモリを内蔵したメモリカードや、小型のハードディスクなどである。
【００４１】
操作部２６は、モード設定釦、レリーズ釦などの操作部材を含み、ユーザーによる部材操作の内容に応じた操作信号を制御部２８に送る。ユーザーは、この操作部２６を介して制御部２８に対し画像モードや色空間の設定指示、また撮影の指示などを行うことができる。なお、画像モードには、「風景」、「人物」、「ビビッド」などのモードがあり、設定された画像モードによって本画像に対して施される画像処理の内容が変更される。例えば、画像モードが「風景」モードに設定された場合は、本画像に対し、輪郭強調処理が強めに施され、そしてカラー調整処理が青色や緑色が鮮やかになるように施されるが、画像モードが「人物」モードに設定された場合には、本画像に対し、輪郭強調処理が弱めに施され、そしてカラー調整処理が肌色が綺麗になるように施される。また、色空間には、ｓＲＧＢやＡｄｏｂｅＲＧＢなどといった様々な色域の色空間を設定することができる。
【００４２】
制御部２８は、デジタルカメラの各部を統括制御する。制御部２８は、ＲＯＭ２７に予め格納されたシーケンスプログラムをＲＡＭ２４へ読み出し、そのプログラムを実行することにより、各処理のパラメータ（ホワイトバランス調整用のゲインやカラー調整用の色空間など）を算出したり、デジタルカメラの各部を制御したりする。
【００４３】
なお、制御部２８がレンズユニット１３のレンズ制御部（不図示）に対し撮影レンズ１２のＦ値を指定すると、撮像時にレンズ制御部は、撮影レンズ１２の開口絞り（不図示）の径を調節する。これによって撮影レンズ１２のＦ値が設定される。
【００４４】
また、制御部２８が焦点検出部（不図示）において生成されたデフォーカス信号をレンズユニット１３のレンズ制御部（不図示）に与えると、レンズ制御部は、そのデフォーカス信号がゼロとなるように撮影レンズ１２の撮影距離を変化させる。これによって撮影レンズ１２の自動焦点調節（ＡＦ）が行われる。
【００４５】
また、制御部２８は、測光画像を基に輝度評価値を算出し、その輝度評価値と予め定められたプログラム線図とに基づきメカニカルシャッタ１５の開放時間、撮像素子１６の電荷蓄積時間、撮影レンズ１２のＦ値、ストロボ発光の有／無などの設定を行う。
【００４６】
また、制御部２８は、バッファメモリ２３の本画像の画像データに対してホワイトバランス調整、補間、輪郭強調、カラー調整、ガンマ補正などの画像処理を施す。ここで、ホワイトバランス（ＷＢ）調整は、制御部２８が算出したＷＢゲイン（ｇr、ｇb）を画像データのＲ成分およびＢ成分へ乗算することによって行う。ＷＢゲイン（ｇr、ｇb）の値は、画像上の全てのブロックで共通である。
【００４７】
また、制御部２８は、画像処理後の本画像の画像データに対して圧縮処理を施すと共に、その圧縮処理後の本画像の画像データを記録Ｉ／Ｆ２５を介して記憶媒体３０へ記録する。なお、圧縮処理は、ＪＰＥＧ（Joint Photographic Experts Group）形式などによって行われる。
【００４８】
ＲＯＭ２７には、制御部２８が実行するプログラムの一部として、制御部２８が撮影条件（メカニカルシャッタ１５の開放時間、撮像素子１６の電荷蓄積時間、撮影レンズ１２のＦ値、ストロボ発光の有／無など）を決定するために用いるプログラム線図や、本画像のカラー調整に使用すべき色空間を判定するために必要な情報なども予め格納される。その情報には、色空間を判定するためのルックアップテーブルがある。以下、このルックアップテーブルについて説明する。
【００４９】
ルックアップテーブルは、画像モード毎、かつ色空間毎にそれぞれ専用のものが予め用意される。例として、画像モードが「風景」モードで、かつ色空間が「ｓＲＧＢ」に設定されている場合に用いられるルックアップテーブルを図３に示す。
【００５０】
ルックアップテーブル（図３）には、補間処理後の本画像に含まれる画素の色成分値（Ｒ、Ｇ、Ｂ値）を格納するフィールド（Ａフィールド）と、そのＡフィールドに格納された色成分値が当該ルックアップテーブルの色空間の色域に収まるか否か、即ちその色空間に所属すべきか否かを示す情報（色空間判定フラグ）を格納するフィールド（Ｂフィールド）とが設けられる。なお、図３のルックアップテーブルは、画素の有するＲ、Ｇ、Ｂの３種類の色成分がそれぞれ８ｂｉｔ（２５６）階調で表現される場合の例を示している。この例では、Ａフィールドには、８ｂｉｔ（２５６）階調で取り得る全ての値、すなわち色成分値（Ｒ、Ｇ、Ｂ値）として「０、０、０」〜「２５５、２５５、２５５」の値が格納される。また、Ｂフィールドには、色空間判定フラグとして「０（ゼロ）」と「１」の２種類の値が格納される。なお、値の「０」は、当該ルックアップテーブルの色空間の色域に収まる、即ちその色空間に所属すべきであることを示し、値の「１」は、その色域には収まらない、即ちその色空間には所属すべきでないことを示している。
【００５１】
ところで、ルックアップテーブルに格納される色成分値と色空間判定フラグの情報とは、以下の理由により事前に決定しておくことができる。画像処理の前と後では本画像に含まれる各画素の色成分値が変化する。また、その変化量は、設定された画像モードによって異なる。これは、上述したように画像モードによって実行される画像処理の内容が変わるためである。しかし、画像処理による色成分値の変化量は、設計段階で又は実験によって予め知ることができる。このため、画像処理前の或る色成分値（Ａフィールドに格納される色成分値）に対して、その変化後（画像モードに応じた画像処理後）の色成分値がどの色空間の色域であれば収まるか、即ちどの色空間に所属すべきであるか（つまり、Ｂフィールドに格納される色空間判定フラグの情報）をシミュレーション等の実験などによって事前に決定することができる。
【００５２】
次に、撮影時における制御部２８の動作について説明する。図４は、撮影時に実行される制御部２８の動作フローチャートである。なお、フローチャートの開始時点では、クイックリターンミラー１４は観察状態の位置にあるものとする。
【００５３】
ステップ１０１：制御部２８は、レリーズ釦が半押しにされたか否かを判別し、レリーズ釦が半押しにされた場合（Ｙｅｓ側）はステップ１０２へ移行する。一方、レリーズ釦が半押しにされていない場合（Ｎｏ側）は、制御部２８はステップ１０１の処理を繰り返す。
【００５４】
ステップ１０２：制御部２８は、測光センサ２２の連続駆動を開始する。これによって測光画像が測光センサ２２から出力され始める。
【００５５】
ステップ１０３：制御部２８は、焦点検出部（不図示）が生成するデフォーカス信号をレンズユニット１３のレンズ制御部（不図示）へ与えることにより撮影レンズ１２の自動焦点調節を行うと共に、測光画像を基に算出した輝度評価値に基づき自動露出制御を行う。これによって撮影条件（メカニカルシャッタ１５の開放時間、撮像素子１６の電荷蓄積時間、撮影レンズ１２のＦ値、ストロボ発光の有／無など）が設定される。
【００５６】
ステップ１０４：制御部２８は、レリーズ釦が全押しにされたか否かを判別し、レリーズ釦が全押しにされていない場合（Ｎｏ側）はステップ１０５へ移行する。一方、レリーズ釦が全押しにされた場合（Ｙｅｓ側）は、制御部２８はステップ１０６へ移行する。
【００５７】
ステップ１０５：制御部２８は、レリーズ釦の半押しが解除されたか否かを判別し、レリーズ釦の半押しが解除された場合（Ｙｅｓ側）には、測光センサ２２の動作を停止させてからステップ１０１へ戻る。一方、レリーズ釦の半押しが継続されている場合（Ｎｏ側）は、ステップ１０４へ戻る。
【００５８】
ステップ１０６：制御部２８は、上記ステップ１０３で設定された撮影条件の下で撮影（本画像の画像データの取得）を行う。すなわち、制御部２８は、クイックリターンミラー１４を退避状態とし、メカニカルシャッタ１５およびＴＧ１６ｂを駆動することにより、本画像の画像データを取得する。このとき制御部２８は、必要に応じて不図示のストロボ装置を駆動してストロボ光を発光させる。なお、この撮影で取得された本画像の画像データは、アナログ信号処理部１６ａを介してバッファメモリ２３に記録される。撮影が終了すると、クイックリターンミラー１４は再び観察状態に戻される。
【００５９】
ステップ１０７：制御部２８は、バッファメモリ２３に記録された本画像の画像データに対してホワイトバランス（ＷＢ）調整処理を施す。具体的には、制御部２８は、デジタルカメラのホワイトバランス（ＷＢ）モードの設定内容（オートＷＢモード、マニュアルＷＢモードなど）に基づき算出したＷＢゲイン（ｇr、ｇb）を本画像の画像データのＲ成分およびＢ成分へ乗算する。なお、デジタルカメラのＷＢモードの設定は、ユーザーが操作部２６の操作部材を操作することなどによって行われる。
【００６０】
ステップ１０８：制御部２８は、ＷＢ調整処理後の本画像の画像データに対して補間処理を施す。この補間処理によって、バッファメモリ２３の本画像の画像データの各画素は、Ｒ、Ｇ、Ｂの３種類の成分を有することになる。
【００６１】
ステップ１０９：制御部２８は、デジタルカメラに対して設定された画像モードおよび色空間の情報を取得すると共に、その画像モードに対応し、かつその色空間に対応したルックアップテーブルをＲＯＭ２７に予め格納された複数のルックアップテーブルの中から選択する。なお、デジタルカメラの画像モードおよび色空間の設定は、ユーザーが操作部２６の操作部材を操作することなどによって行われる。
【００６２】
ステップ１１０：制御部２８は、バッファメモリ２３に記録された本画像の画像データの色域が、現在選択中のルックアップテーブルの色空間の色域に収まるか否かを判定するための情報を取得する。具体的には、制御部２８は、本画像の画像データの画素毎に、その色成分（Ｒ、Ｇ、Ｂの３種類の成分）の値を入力として当該ルックアップテーブルを参照し、色空間判定フラグの値を取得する。例えば、画像モード（撮影モード）が「風景」モードで色空間が「ｓＲＧＢ」に設定されており、図３のルックアップテーブルを参照する場合においては、入力となる画素の色成分の値が「Ｒ＝０，Ｇ＝０，Ｂ＝２５５」であれば、取得される色空間判定フラグの値は「１（当該ルックアップテーブルの色空間の色域には収まらない）」となる。また、入力となる画素の色成分の値が「Ｒ＝０，Ｇ＝１，Ｂ＝１」であれば、取得される色空間判定フラグの値は「０（当該ルックアップテーブルの色空間の色域に収まる）」となる。そして、制御部２８は、取得した色空間判定フラグの値を積算して、本画像の画像データの全画素分の積算値を算出する。例えば、本画像の画像データの全画素数が３０であり、そのうち色空間判定フラグの値が「１」のものが２０画素有り、また「０」のものが１０画素有る場合には、全画素分の積算値は２０となる。
【００６３】
ステップ１１１：制御部２８は、上記ステップ１１０で算出した全画素分の積算値が所定の閾値を超えるか否かを判定することで、本画像の画像データの色域が現在選択中のルックアップテーブルの色空間の色域に収まるか否かを判定する。全画素分の積算値が所定の閾値を超える場合（Ｙｅｓ側）には、制御部２８は、現在選択中のルックアップテーブルの色空間の色域には収まらない画素が多いと判断して、設定された画像モードに対応し、かつ当該ルックアップテーブルの色空間よりも広い色域を有した色空間のルックアップテーブルをＲＯＭ２７の中から新たに選択してステップ１１０へ移行する。一方、所定の閾値を超えない場合（Ｎｏ側）には、制御部２８は、現在選択中のルックアップテーブルの色空間をカラー調整に使用すべき色空間に採用してステップ１１２へ移行する。
【００６４】
ステップ１１２：制御部２８は、バッファメモリ２３の本画像の画像データに対し、輪郭強調、カラー調整、ガンマ補正などの画像処理を施す。なお、ここでは、設定された画像モードに応じて必要な画像処理が施される。また、カラー調整、ガンマ補正処理においては、上記ステップ１１１で採用された色空間が使用される。
【００６５】
ステップ１１３：制御部２８は、バッファメモリ２３に記録された画像処理後の本画像の画像データに対して圧縮処理を施すと共に、その圧縮処理後の本画像の画像データを記録Ｉ／Ｆ２５を介して記憶媒体３０へ記録する。このとき、圧縮処理後の本画像の画像データは、上記ステップ１１１で採用された色空間の情報と共に画像ファイルとして記憶媒体３０へ記録される。ここで、画像ファイルがＥｘｉｆ規格の形式に基づくものであれば、色空間の情報は、画像ファイルのメーカーノート（ＭａｋｅｒＮｏｔｅ）タグの情報や、ＩＣＣプロファイルとして記録される。
【００６６】
以下、本実施形態の作用効果を説明する。
【００６７】
本実施形態のデジタルカメラでは、補間処理後の本画像に含まれる各画素の色成分値を入力としてルックアップテーブルを参照することで色空間判定フラグの値が取得され、その取得した値の全画素分の積算値が算出される。そして、その全画素分の色空間判定フラグ値の積算値を基に本画像のカラー調整に使用すべき色空間が選択されると共に、本画像に対し、選択された色空間を使用してカラー調整などの画像処理が行われる。その際、ルックアップテーブルの検索は、ユーザー等が設定した画像モードと色空間とに対応したルックアップテーブルを基点として、より広い色域を有した色空間の方向にテーブルの検索が行われる。このため、画像処理後の本画像の所定数以上のピクセルがユーザー等が設定した色空間の色域に収まらない場合、即ちその色空間には所属すべきでない場合に色空間の変更が行われ、カラー調整に使用すべき最適な色域の色空間が選択される。
【００６８】
したがって、本実施形態のデジタルカメラによれば、色域の最適な撮影画像を得ることができる。
【００６９】
以下、第１実施形態の変形例（１）を説明する。ここでは、第１実施形態との相違点のみ説明する。相違点は、ステップ１１０およびステップ１１１の処理にある。すなわち、第１実施形態では、本画像の画像データの色域が選択中のルックアップテーブルの色空間の色域に収まるか否かを色空間判定フラグ値の積算値を基に判定するが、変形例（１）では、色空間判定フラグ情報をその種別毎に計数した値（種別毎の取得数）を基に判定する。なお、以下では、色空間判定フラグ情報の種別が２種類あることを前提として説明を行う。
【００７０】
ステップ１１０：制御部２８は、バッファメモリ２３に記録された本画像の画像データの色域が、現在選択中のルックアップテーブルの色空間の色域に収まるか否かを判定するための情報を取得する。具体的には、制御部２８は、本画像の画像データの画素毎に、その色成分（Ｒ、Ｇ、Ｂの３種類の成分）の値を入力として当該ルックアップテーブルを参照し、色空間判定フラグの情報を取得する。なお、この色空間判定フラグ情報の取得は、本画像の画像データの全画素について行う。そして、制御部２８は、色空間判定フラグ情報の種別毎にその取得数を計数する。すなわち、色空間判定フラグ情報の「当該ルックアップテーブルの色空間の色域に収まる、即ち当該ルックアップテーブルの色空間が所属すべき色空間である（図３の例では値'０'）」の取得数（取得数Ａ）と「当該ルックアップテーブルの色空間の色域には収まらない、即ち当該ルックアップテーブルの色空間は所属すべき色空間ではない（図３の例では値'１'）」の取得数（取得数Ｂ）とをそれぞれ計数する。
【００７１】
ステップ１１１：制御部２８は、上記ステップ１１０で計数した種別毎の取得数（取得数Ａ、取得数Ｂ）を基に、本画像の画像データの色域が現在選択中のルックアップテーブルの色空間の色域に収まるか否かを判定する。具体的には、制御部２８は、取得数Ｂが取得数Ａよりも多く、かつそれらの数の差が所定の閾値を超える場合には、現在選択中のルックアップテーブルの色空間の色域には収まらないと判断して、設定された画像モードに対応し、かつ当該ルックアップテーブルの色空間よりも広い色域を有した色空間のルックアップテーブルをＲＯＭ２７の中から新たに選択してステップ１１０へ移行する。一方、取得数Ｂが取得数Ａ以下である場合または取得数Ｂは取得数Ａよりも多いがそれらの数の差が所定の閾値を超えない場合は、制御部２８は、現在選択中のルックアップテーブルの色空間をカラー調整に使用すべき色空間に採用してステップ１１２へ移行する。
【００７２】
以下、第１実施形態の変形例（２）を説明する。ここでは、第１実施形態との相違点のみ説明する。相違点は、ステップ１０９の処理にある。すなわち、第１実施形態では、画像モードに対応した複数のルックアップテーブルのうちユーザー等が設定した色空間に対応したルックアップテーブルを基点とし、本画像の画像データの色域が収まる、即ちその色域が所属すべき色空間のルックアップテーブルを検索する。しかし、変形例（２）では、画像モードに対応した複数のルックアップテーブルのうち最も色域の狭い色空間のルックアップテーブルを基点とし、それよりも色域の広い色空間の方向にルックアップテーブルを検索する。
【００７３】
ステップ１０９：制御部２８は、デジタルカメラに対して設定された画像モードの情報を取得すると共に、ＲＯＭ２７に予め格納された複数のルックアップテーブルの中から、取得した画像モードに対応し、かつ最も色域の狭い色空間に対応したルックアップテーブルを選択する。なお、デジタルカメラの画像モードの設定は、ユーザーが操作部２６の操作部材を操作することなどによって行われる。
【００７４】
なお、この変形例（２）の処理は上述の変形例（１）の処理に適用してもよい。
【００７５】
以下、第１実施形態の変形例（３）を説明する。ここでは、第１実施形態との相違点のみ説明する。相違点は、ステップ１０９〜ステップ１１１の処理にある。すなわち、第１実施形態では、本画像の画像データの色域が選択中のルックアップテーブルの色空間の色域に収まるか否かを色空間判定フラグ値の積算値を基に判定するが、変形例（３）では、色空間判定フラグ情報をその種別毎に計数した値（種別毎の取得数）を基に判定する。なお、以下では、色空間判定フラグ情報の種別が３種類あることを前提として説明を行う。
【００７６】
ステップ１０９：制御部２８は、デジタルカメラに対して設定された画像モードの情報を取得すると共に、ＲＯＭ２７に予め格納された複数のルックアップテーブルの中から、取得した画像モードに対応し、かつ所定の色空間（例えば、色域の広さが異なる３種類の色空間をデジタルカメラがサポートしていた場合、３種類のうちの色域の広さが中程度の色空間）に対応したルックアップテーブルを選択する。なお、デジタルカメラの画像モードの設定は、ユーザーが操作部２６の操作部材を操作することなどによって行われる。
【００７７】
ステップ１１０：制御部２８は、バッファメモリ２３に記録された本画像の画像データの色域が、現在選択中のルックアップテーブルの色空間の色域に所属すべきか否か、即ちその色域に収まるか否かを判定するための情報を取得する。具体的には、制御部２８は、本画像の画像データの画素毎に、その色成分（Ｒ、Ｇ、Ｂの３種類の成分）の値を入力として当該ルックアップテーブルを参照し、色空間判定フラグの情報を取得する。なお、この色空間判定フラグ情報の取得は、本画像の画像データの全画素について行う。そして、制御部２８は、色空間判定フラグ情報の種別毎にその取得数を計数する。すなわち、色空間判定フラグ情報の「当該ルックアップテーブルの色空間が所属すべき色空間である、即ち当該ルックアップテーブルの色空間の色域に収まり、且つ、当該ルックアップテーブルの色空間よりも色域が狭い色空間には収まらない」の取得数（取得数Ａ）と「当該ルックアップテーブルの色空間よりも色域が広い色空間に所属すべき、即ち当該ルックアップテーブルの色空間よりも色域が広い色空間に収まり、且つ、当該ルックアップテーブルの色空間には収まらない」の取得数（取得数Ｂ）と「当該ルックアップテーブルの色空間よりも色域が狭い色空間に所属すべき、即ち当該ルックアップテーブルの色空間よりも色域が狭い色空間に収まる」の取得数（取得数Ｃ）とをそれぞれ計数する。
【００７８】
ステップ１１１：制御部２８は、上記ステップ１１０で計数した種別毎の取得数（取得数Ａ、取得数Ｂ、取得数Ｃ）を基に、本画像の画像データの色域が現在選択中のルックアップテーブルの色空間の色域に所属すべきか否かを判定する。具体的には、制御部２８は、取得数Ｂのみが取得数Ａよりも多く、かつそれらの数の差が所定の閾値を超える場合には、現在選択中のルックアップテーブルの色空間よりも広い色域の色空間に所属すべきと判断して、設定された画像モードに対応し、かつ当該ルックアップテーブルの色空間よりも広い色域を有した色空間のルックアップテーブルをＲＯＭ２７の中から新たに選択してステップ１１０へ移行する。なお、この場合に用いた閾値は、デジタルカメラに設定された画像モードの内容によってその値を変更するようにしてもよい。例えば、画像モードが「人物」に設定されている場合には、カラーの階調性が重要になる（階調性重視）ので閾値には大きな値を用いるようにし、また画像モードが「風景」に設定されている場合には、色空間の色域は広いことが望ましい（色域重視）ので閾値には小さな値を用いるようにする。
【００７９】
また、制御部２８は、取得数Ｃのみが取得数Ａよりも多く、かつそれらの数の差が所定の閾値を超える場合には、現在選択中のルックアップテーブルの色空間よりも狭い色域の色空間に所属すべきと判断して、設定された画像モードに対応し、かつ当該ルックアップテーブルの色空間よりも狭い色域を有した色空間のルックアップテーブルをＲＯＭ２７の中から新たに選択してステップ１１０へ移行する。なお、この場合に用いた閾値は、デジタルカメラに設定された画像モードの内容によってその値を変更するようにしてもよい。例えば、画像モードが「人物」に設定されている場合には、カラーの階調性が豊かであることが望ましい（階調性重視）ので閾値には小さな値を用いるようにし、また画像モードが「風景」に設定されている場合には、色空間の色域が広いことが好ましい（色域重視）ので閾値には大きな値を用いるようにする。
【００８０】
また、制御部２８は、取得数Ｂおよび取得数Ｃがともに取得数Ａよりも多く、取得数Ｂと取得数Ａとの差および取得数Ｃと取得数Ａとの差がともに所定の閾値を超える場合には、例えば以下のように処理を行う。制御部２８は、現在選択中のルックアップテーブルの色空間よりも広い色域の色空間に所属すべきと判断して、当該ルックアップテーブルの色空間よりも広い色域を有した色空間のルックアップテーブルをＲＯＭ２７の中から新たに選択してステップ１１０へ移行する。
【００８１】
なお、デジタルカメラの画像モードがカラーの階調性を重視する「人物」などのモードに設定されている場合は、制御部２８は、現在選択中のルックアップテーブルの色空間を採用してステップ１１２へ移行するとしても良い。
【００８２】
また、制御部２８は、取得数Ａ、取得数Ｂ、取得数Ｃの大小関係が前記の関係に当て嵌まらない場合には、現在選択中のルックアップテーブルの色空間をカラー調整に使用すべき色空間に採用してステップ１１２へ移行する。
【００８３】
なお、この変形例（３）のステップ１０９の処理に代えて、上述した第１実施形態のステップ１０９の処理を行うようにしてもよい。
【００８４】
以下、第１実施形態の変形例（１）〜（３）の作用効果を説明する。
【００８５】
変形例（１）および（３）のデジタルカメラでは、補間処理後の本画像の色域が選択中のルックアップテーブルの色空間の色域に収まるか否かが色空間判定フラグ情報をその種別毎に計数した値（種別毎の取得数）を基に判定される。また、変形例（２）のデジタルカメラでは、画像モードに対応した複数のルックアップテーブルのうち最も色域の狭い色空間のルックアップテーブルを基点として、それよりも色域の広い色空間の方向にルックアップテーブルの検索が行われる。このため、変形例（１）〜（３）のデジタルカメラでは、カラー調整処理に使用すべき色空間の選択が第１実施形態のデジタルカメラよりもさらに最適に行われる。
【００８６】
したがって、変形例（１）〜（３）のデジタルカメラによれば、色域の最適な撮影画像を得ることができる。
【００８７】
（第２実施形態）
以下、本発明の第２実施形態を説明する。本実施形態も、デジタルカメラの実施形態である。なお、以下の説明では、第１実施形態と共通するデジタルカメラの構成要素については同一符号を付して重複説明を省略する。
【００８８】
第１実施形態では、本画像の画像データの色域が選択中のルックアップテーブルの色空間の色域に収まるか否かを判定する際に、補間処理後の本画像の画像データを使用し、その各画素の色成分（Ｒ、Ｇ、Ｂの３種類の成分）の値を入力としてルックアップテーブルを参照することで色空間判定フラグの値を取得する。第２実施形態では、補間処理前のＲＧＢベイヤ（Bayer）配列イメージの本画像の画像データを使用し、その画像データを基に算出した色成分の値を入力としてルックアップテーブルを参照することで色空間判定フラグの値を取得する。
【００８９】
以下、この動作について、図５の制御部２８の動作フローチャートを参照して説明する。なお、図５は、撮影時に実行されるものである。また、フローチャートの開始時点では、クイックリターンミラー１４は観察状態の位置にあるものとする。また、ステップ２０１〜ステップ２０７の処理については、第１実施形態におけるステップ１０１〜ステップ１０７の処理と同一であるため説明を省略する。
【００９０】
ステップ２０８：制御部２８は、ＷＢ調整処理後の本画像の画像データ、すなわち補間処理を施していないＲＧＢベイヤ（Bayer）配列イメージの画像データを、例えばＲ、Ｇ、Ｇ、Ｂの４つの画素毎の領域に区切り（図６）、領域毎にそこに含まれる画素の色成分の値を平均してＲ、Ｇ、Ｂ値（領域の色成分値）を算出する。
【００９１】
ステップ２０９：制御部２８は、デジタルカメラに対して設定された画像モードおよび色空間の情報を取得すると共に、その画像モードに対応し、かつその色空間に対応したルックアップテーブルをＲＯＭ２７に予め格納された複数のルックアップテーブルの中から選択する。なお、デジタルカメラの画像モードおよび色空間の設定は、ユーザーが操作部２６の操作部材を操作することなどによって行われる。
【００９２】
ステップ２１０：制御部２８は、バッファメモリ２３に記録された本画像の画像データの色域が、現在選択中のルックアップテーブルの色空間の色域に収まるか否かを判定するための情報を取得する。具体的には、制御部２８は、上記ステップ２０８で算出した各領域の色成分値（Ｒ、Ｇ、Ｂ値）を入力として当該ルックアップテーブルを参照し、色空間判定フラグの値を取得する。但し、ここで参照されるルックアップテーブルの色成分値を格納するフィールドには、領域の色成分値（Ｒ、Ｇ、Ｂ値）に対応した色成分値が予め格納されている。また、この色空間判定フラグ値の取得は、ステップ２０８で区切った領域の全てについて行う。そして、制御部２８は、取得した色空間判定フラグの値を積算して、本画像の画像データの全領域分の積算値を算出する。
【００９３】
ステップ２１１：制御部２８は、上記ステップ２１０で算出した全領域分の積算値が所定の閾値を超えるか否かを判定することで、本画像の画像データの色域が現在選択中のルックアップテーブルの色空間の色域に収まるか否かを判定する。全領域分の積算値が所定の閾値を超える場合（Ｙｅｓ側）には、制御部２８は、現在選択中のルックアップテーブルの色空間の色域には収まらない画素が多いと判断して、設定された画像モードに対応し、かつ当該ルックアップテーブルの色空間よりも広い色域を有した色空間のルックアップテーブルをＲＯＭ２７の中から新たに選択してステップ２１０へ移行する。一方、所定の閾値を超えない場合（Ｎｏ側）には、制御部２８は、現在選択中のルックアップテーブルの色空間をカラー調整に使用すべき色空間に採用してステップ２１２へ移行する。
【００９４】
ステップ２１２：制御部２８は、上記ステップ２０７でのＷＢ調整処理後の本画像の画像データ（バッファメモリ２３の本画像の画像データ）に対して補間処理を施す。
【００９５】
ステップ２１３：制御部２８は、バッファメモリ２３の本画像の画像データに対し、輪郭強調、カラー調整、ガンマ補正などの画像処理を施す。なお、ここでは、設定された画像モードに応じて必要な画像処理が施される。また、カラー調整、ガンマ補正処理においては、上記ステップ２１１で採用された色空間が使用される。
【００９６】
ステップ２１４：制御部２８は、バッファメモリ２３に記録された画像処理後の本画像の画像データに対して圧縮処理を施すと共に、その圧縮処理後の本画像の画像データを記録Ｉ／Ｆ２５を介して記憶媒体３０へ記録する。このとき、圧縮処理後の本画像の画像データは、上記ステップ２１１で採用された色空間の情報と共に画像ファイルとして記憶媒体３０へ記録される。ここで、画像ファイルがＥｘｉｆ規格の形式に基づくものであれば、色空間の情報は、画像ファイルのメーカーノート（ＭａｋｅｒＮｏｔｅ）タグの情報や、ＩＣＣプロファイルとして記録される。
【００９７】
なお、第１実施形態の変形例（１）〜（３）と同等の処理を、この第２実施形態に適用してもよい。
【００９８】
以下、本実施形態の作用効果を説明する。
【００９９】
本実施形態のデジタルカメラでは、補間処理前のＲＧＢベイヤ（Bayer）配列イメージの本画像の画像データを使用し、その画像データを基に算出した色成分の値を入力としてルックアップテーブルを参照することで色空間判定フラグの値が取得される。そして、取得された色空間判定フラグ値の全画素分の積算値が算出され、その全画素分の積算値を基に本画像のカラー調整に使用すべき色空間が選択されると共に、本画像に対し、選択された色空間を使用してカラー調整などの画像処理が行われる。このため、本実施形態のデジタルカメラでは、ルックアップテーブルを参照する際の入力として補間処理前の本画像の色成分が使用されるので、カラー調整処理に使用すべき色空間の選択が高精度に行われる。
【０１００】
したがって、本実施形態のデジタルカメラによれば、色域の最適な撮影画像を得ることができる。
【０１０１】
（第３実施形態）
以下、本発明の第３実施形態を説明する。本実施形態も、デジタルカメラの実施形態である。なお、以下の説明では、第１実施形態と共通するデジタルカメラの構成要素については同一符号を付して重複説明を省略する。
【０１０２】
第１実施形態では、本画像の画像データの色域が選択中のルックアップテーブルの色空間の色域に収まるか否かを判定する際に、本画像に含まれる画素毎に色空間判定フラグの値を取得する。第３実施形態では、本画像の画面の各エリア毎に色空間判定フラグの値を取得する。
【０１０３】
以下、この動作について、図７の制御部２８の動作フローチャートを参照して説明する。なお、図７は、撮影時に実行されるものである。また、フローチャートの開始時点では、クイックリターンミラー１４は観察状態の位置にあるものとする。また、ステップ３０１〜ステップ３０７の処理については、第１実施形態におけるステップ１０１〜ステップ１０７の処理と同一であるため説明を省略する。
【０１０４】
ステップ３０８：制御部２８は、ＷＢ調整処理後の本画像の画像データに対して補間処理を施す。この補間処理によって、バッファメモリ２３の本画像の画像データの各画素は、Ｒ、Ｇ、Ｂの３種類の成分を有することになる。
【０１０５】
ステップ３０９：制御部２８は、補間処理後の本画像の画像データの画面を複数のエリアに分割し、エリア毎にそこに含まれる画素の色成分の値を平均してＲ、Ｇ、Ｂ値（エリアの色成分値）を算出する。
【０１０６】
ステップ３１０：制御部２８は、デジタルカメラに対して設定された画像モードおよび色空間の情報を取得すると共に、その画像モードに対応し、かつその色空間に対応したルックアップテーブルをＲＯＭ２７に予め格納された複数のルックアップテーブルの中から選択する。なお、デジタルカメラの画像モードおよび色空間の設定は、ユーザーが操作部２６の操作部材を操作することなどによって行われる。
【０１０７】
ステップ３１１：制御部２８は、バッファメモリ２３に記録された本画像の画像データの色域が、現在選択中のルックアップテーブルの色空間の色域に収まるか否かを判定するための情報を取得する。具体的には、制御部２８は、上記ステップ３０９で算出した各エリアの色成分値（Ｒ、Ｇ、Ｂ値）を入力として当該ルックアップテーブルを参照し、色空間判定フラグの値を取得する。但し、ここで参照されるルックアップテーブルの色成分値を格納するフィールドには、エリアの色成分値（Ｒ、Ｇ、Ｂ値）に対応した色成分値が予め格納されている。また、色空間判定フラグ値の取得は、ステップ３０９で分割したエリアの全てについて行う。そして、制御部２８は、取得した色空間判定フラグの値を積算して、本画像の画面の全エリア分の積算値を算出する。
【０１０８】
ステップ３１２：制御部２８は、上記ステップ３１１で算出した全エリア分の積算値が所定の閾値を超えるか否かを判定することで、本画像の画像データの色域が現在選択中のルックアップテーブルの色空間の色域に収まるか否かを判定する。全エリア分の積算値が所定の閾値を超える場合（Ｙｅｓ側）には、制御部２８は、現在選択中のルックアップテーブルの色空間の色域には収まらない画素が多いと判断して、設定された画像モードに対応し、かつ当該ルックアップテーブルの色空間よりも広い色域を有した色空間のルックアップテーブルをＲＯＭ２７の中から新たに選択してステップ３１１へ移行する。一方、所定の閾値を超えない場合（Ｎｏ側）には、制御部２８は、現在選択中のルックアップテーブルの色空間をカラー調整に使用すべき色空間に採用してステップ３１３へ移行する。
【０１０９】
ステップ３１３：制御部２８は、バッファメモリ２３の本画像の画像データに対し、輪郭強調、カラー調整、ガンマ補正などの画像処理を施す。なお、ここでは、設定された画像モードに応じて必要な画像処理が施される。また、カラー調整、ガンマ補正処理においては、上記ステップ３１２で採用された色空間が使用される。
【０１１０】
ステップ３１４：制御部２８は、バッファメモリ２３に記録された画像処理後の本画像の画像データに対して圧縮処理を施すと共に、その圧縮処理後の本画像の画像データを記録Ｉ／Ｆ２５を介して記憶媒体３０へ記録する。このとき、圧縮処理後の本画像の画像データは、上記ステップ３１２で採用された色空間の情報と共に画像ファイルとして記憶媒体３０へ記録される。ここで、画像ファイルがＥｘｉｆ規格の形式に基づくものであれば、色空間の情報は、画像ファイルのメーカーノート（ＭａｋｅｒＮｏｔｅ）タグの情報や、ＩＣＣプロファイルとして記録される。
【０１１１】
なお、第１実施形態の変形例（１）〜（３）と同等の処理を、この第３実施形態に適用してもよい。
【０１１２】
また、第２実施形態の処理を、この第３実施形態に適用してもよい。すなわち、本画像の画像データの色域が選択中のルックアップテーブルの色空間の色域に収まるか否かを判定する際に、補間処理前のＲＧＢベイヤ（Bayer）配列イメージの本画像の画像データを使用し、その画像データの各領域毎に色空間判定フラグの値を取得するようにしてもよい。そうした場合、ＲＧＢベイヤ（Bayer）配列イメージの画像データを複数のエリア（各エリアはそれぞれＮ個の画素から成る）に分割し、エリア毎に算出したＲ、Ｇ、Ｂ値（エリアの色成分値）を入力としてルックアップテーブルを参照すれば、各エリア（領域）毎の色空間判定フラグの値が取得できる。また、本画像の画像データに対する補間処理は、カラー調整に使用すべき色空間が採用された後に実施するようにする。そして、その補間処理を施した後に本画像の画像データに対して画像処理を施すようにする。
【０１１３】
以下、本実施形態の作用効果を説明する。
【０１１４】
本実施形態のデジタルカメラでは、本画像の画面の各エリア毎の色成分値を基に色空間判定フラグの値が取得される。なお、本画像は補間処理後の画像である。そして、取得された色空間判定フラグ値の全エリア分の積算値が算出され、その全エリア分の積算値を基に本画像のカラー調整に使用すべき色空間が選択されると共に、本画像に対し、選択された色空間を使用してカラー調整などの画像処理が行われる。このため、本実施形態のデジタルカメラでは、ルックアップテーブルを参照する際の入力として本画像の画面の各エリア毎の色成分値が使用されるので、ルックアップテーブルの参照回数が減少させられる。つまり、本画像のカラー調整に使用すべき色空間を選択するための処理が高速に行われる。
【０１１５】
したがって、本実施形態のデジタルカメラによれば、色域の最適な撮影画像を迅速に得ることができる。
【０１１６】
（第４実施形態）
以下、本発明の第４実施形態を説明する。本実施形態も、デジタルカメラの実施形態である。なお、以下の説明では、第１実施形態と共通するデジタルカメラの構成要素については同一符号を付して重複説明を省略する。
【０１１７】
第１実施形態では、撮像素子１６が生成した本画像に含まれる画素のカラー成分を基に本画像のカラー調整に使用すべき色空間を判定するが、第４実施形態では、測光センサ２２が生成した測光画像に含まれる画素のカラー成分を基に本画像のカラー調整に使用すべき色空間を判定する。
【０１１８】
以下、この動作について、図８の制御部２８の動作フローチャートを参照して説明する。なお、図８は、撮影時に実行されるものである。また、フローチャートの開始時点では、クイックリターンミラー１４は観察状態の位置にあるものとする。また、ステップ４０１〜ステップ４０７の処理については、第１実施形態におけるステップ１０１〜ステップ１０７の処理と同一であるため説明を省略する。
【０１１９】
ステップ４０８：制御部２８は、ＷＢ調整処理後の本画像の画像データに対して補間処理を施す。
【０１２０】
ステップ４０９：制御部２８は、測光センサ２２が生成した測光画像に対してホワイトバランス（ＷＢ）調整処理を施す。
【０１２１】
ステップ４１０：制御部２８は、ＷＢ調整処理後の測光画像に含まれる画素を、Ｒ成分を持つ画素、Ｇ成分を持つ画素、Ｂ成分を持つ画素の３つの画素を１セットとし、それをＮセット（Ｎは１以上の数）まとめた領域（エリア）毎に、そこに含まれる画素の色成分の値をＲ、Ｇ、Ｂの各成分毎に平均してＲ、Ｇ、Ｂ値（エリアの色成分値）を算出する。
【０１２２】
ステップ４１１：制御部２８は、デジタルカメラに対して設定された画像モードおよび色空間の情報を取得すると共に、その画像モードに対応し、かつその色空間に対応したルックアップテーブルをＲＯＭ２７に予め格納された複数のルックアップテーブルの中から選択する。なお、デジタルカメラの画像モードおよび色空間の設定は、ユーザーが操作部２６の操作部材を操作することなどによって行われる。
【０１２３】
ステップ４１２：制御部２８は、測光画像の色域が、現在選択中のルックアップテーブルの色空間の色域に収まるか否かを判定するための情報を取得する。具体的には、制御部２８は、上記ステップ４１０で算出した各エリアの色成分値（Ｒ、Ｇ、Ｂ値）を入力として当該ルックアップテーブルを参照し、色空間判定フラグの値を取得する。但し、ここで参照されるルックアップテーブルの色成分値を格納するフィールドには、測光画像の画素から成るエリアの色成分値（Ｒ、Ｇ、Ｂ値）に対応した色成分値が予め格納されている。また、この色空間判定フラグ値の取得は全てのエリアについて行う。そして、制御部２８は、取得した色空間判定フラグの値を積算して、測光画像の全エリア分の積算値を算出する。
【０１２４】
ステップ４１３：制御部２８は、上記ステップ４１２で算出した全エリア分の積算値が所定の閾値を超えるか否かを判定することで、測光画像の色域が現在選択中のルックアップテーブルの色空間の色域に収まるか否かを判定する。全エリア分の積算値が所定の閾値を超える場合（Ｙｅｓ側）には、制御部２８は、現在選択中のルックアップテーブルの色空間の色域には収まらないと判断して、設定された画像モードに対応し、かつ当該ルックアップテーブルの色空間よりも広い色域を有した色空間のルックアップテーブルをＲＯＭ２７の中から新たに選択してステップ４１２へ移行する。一方、所定の閾値を超えない場合（Ｎｏ側）には、制御部２８は、現在選択中のルックアップテーブルの色空間をカラー調整に使用すべき色空間に採用してステップ４１４へ移行する。
【０１２５】
ステップ４１４：制御部２８は、バッファメモリ２３の本画像の画像データに対し、輪郭強調、カラー調整、ガンマ補正などの画像処理を施す。なお、ここでは、設定された画像モードに応じて必要な画像処理が施される。また、カラー調整、ガンマ補正処理においては、上記ステップ４１３で採用された色空間が使用される。
【０１２６】
ステップ４１５：制御部２８は、バッファメモリ２３に記録された画像処理後の本画像の画像データに対して圧縮処理を施すと共に、その圧縮処理後の本画像の画像データを記録Ｉ／Ｆ２５を介して記憶媒体３０へ記録する。このとき、圧縮処理後の本画像の画像データは、上記ステップ４１３で採用された色空間の情報と共に画像ファイルとして記憶媒体３０へ記録される。ここで、画像ファイルがＥｘｉｆ規格の形式に基づくものであれば、色空間の情報は、画像ファイルのメーカーノート（ＭａｋｅｒＮｏｔｅ）タグの情報や、ＩＣＣプロファイルとして記録される。
【０１２７】
なお、第１実施形態の変形例（１）〜（３）と同等の処理を、この第４実施形態に適用してもよい。
【０１２８】
以下、本実施形態の作用効果を説明する。
【０１２９】
本実施形態のデジタルカメラでは、撮像素子１６が生成した本画像の代わりに測光センサ２２が生成した測光画像が使用され、測光画像に含まれる画素の色成分値を基に本画像のカラー調整に使用すべき色空間が選択されると共に、本画像に対し、選択された色空間を使用してカラー調整などの画像処理が行われる。なお、測光センサ２２が生成する測光画像の画素数は、一般的に、撮像素子１６が生成する本画像の画素数よりも少ない。このため、本実施形態のデジタルカメラでは、ルックアップテーブルを参照する際の入力として測光画像の画素の色成分値が使用されるので、ルックアップテーブルの参照回数が減少させられる。つまり、本画像のカラー調整に使用すべき色空間を選択するための処理が高速に行われる。
【０１３０】
したがって、本実施形態のデジタルカメラによれば、色域の最適な撮影画像を迅速に得ることができる。
【０１３１】
（その他）
なお、第１実施形態のステップ１１１、第１実施形態の変形例（１）のステップ１１１、第２実施形態のステップ２１１、第３実施形態のステップ３１２および第４実施形態のステップ４１３において、本画像の画像データの色域または測光画像の色域が選択中のルックアップテーブルの色空間の色域に収まるか否かを判定するために用いた閾値は、設定された画像モードの内容によってその値を変更するようにしてもよい。例えば、画像モードが「人物」に設定されている場合は、カラーの階調性が重要になる（階調性重視）ので閾値には大きな値を用いるようにし、また画像モードが「風景」に設定されている場合は、色空間の色域は広いことが望ましい（色域重視）ので閾値には小さな値を用いるようにする。
【０１３２】
また、上述の説明ではルックアップテーブルの色成分値（Ｒ、Ｇ、Ｂ値）を格納するＡフィールドには、例えばＲ、Ｇ、Ｂの各成分がそれぞれ８ｂｉｔ（２５６）階調であれば、その取り得る全ての値、すなわち「０、０、０」〜「２５５、２５５、２５５」の値が格納されるとした。しかし、ルックアップテーブルのサイズを減少させるために、取り得る全ての値のうちの一部の値を格納するようにしてもよい。つまり、Ｒ、Ｇ、Ｂの各成分がそれぞれ８ｂｉｔ階調で表現される場合には、例えば「８」の倍数の「０、８、１６、２４、３２、…、２４８」の値を各成分の値とした色成分値をルックアップテーブルに格納すれば、ルックアップテーブルのサイズを減少させられる。そうした場合は、ルックアップテーブルを参照する際に、入力となる色成分値のＲ、Ｇ、Ｂ各値の下位３ｂｉｔに対して値の「０（ゼロ）」をＡＮＤしてから参照すればよい。
【０１３３】
また、シーン認識などの技術を用いて撮影画像の類似したカラー成分を含んだ領域を一つにまとめ、そのまとめた領域の画素の色成分値の平均値を算出して、その平均値を入力としてルックアップテーブルを参照するようにすれば、撮影画像に含まれる画素毎にルックアップテーブルを参照する場合と比べてテーブルの参照回数を低減させることができる。例えば、海などの風景を撮影した画像は、青色の成分を含んだ領域が多いので、その領域をシーン認識などの技術を用いて一つにまとめるようにするとよい。
【０１３４】
また、上述したデジタルカメラの動作プログラムは、その一部または全部をコンピュータなどの外部処理装置に実行させてもよい。その場合、必要なプログラムがＣＤ−ＲＯＭ等のコンピュータ読み取り可能な記憶媒体やインターネット等の通信網などを介して外部処理装置へインストールされる。なお、プログラムを外部処理装置に実行させる場合は、本画像のＲＡＷデータ画像に対して画像処理を行うように実行させるとよい。
【図面の簡単な説明】
【０１３５】
【図１】デジタルカメラの光学系の構成を示す模式図である。
【図２】デジタルカメラの回路構成を示すブロック図である。
【図３】ルックアップテーブルの例を示す図である。
【図４】撮影時に実行される制御部２８の動作フロー（第１実施形態）である。
【図５】撮影時に実行される制御部２８の動作フロー（第２実施形態）である。
【図６】ＲＧＢベイヤ配列イメージの画像データの領域分割の例を示す図である。
【図７】撮影時に実行される制御部２８の動作フロー（第３実施形態）である。
【図８】撮影時に実行される制御部２８の動作フロー（第４実施形態）である。
【符号の説明】
【０１３６】
１１…カメラ本体，１２…撮影レンズ，１３…レンズユニット，１４…クイックリターンミラー，１５…メカニカルシャッタ，１６…撮像素子，１６ａ…アナログ信号処理部，１６ｂ…タイミングジェネレータ（ＴＧ），１７…拡散スクリーン（焦点板），１８…コンデンサレンズ，１９…ペンタプリズム，２０…接眼レンズ，２１…再結像レンズ，２２…測光センサ，２２ａ…Ａ／Ｄ変換器，２３…バッファメモリ，２４…ＲＡＭ，２５…記録インターフェース（記録Ｉ／Ｆ），２６…操作部，２７…ＲＯＭ，２８…制御部，２９…バス
【図１】
2010050604.tif 000003
【図２】
2010050604.tif 000004
【図３】
2010050604.tif 000005
【図４】
2010050604.tif 000006
【図５】
2010050604.tif 000007
【図６】
2010050604.tif 000008
【図７】
2010050604.tif 000009
【図８】
2010050604.tif 000010